(57)【要約】【課題】従来の顕微鏡観察用透明加温装置では、載置プレートに低温領域が生じているので適正加温領域が小さく、観察しているディッシュＤ以外のものを載置して、細胞が適正な温度に保たれるように加温できる範囲が限られてしまう。【解決手段】ニクロム線９に対して通電されニクロム線９が発熱して、非対向領域２９，２９及び３０，３０を加温する。この通電は温度センサー３４の検知情報に基づいて制御され、非対向領域２９，２９及び３０，３０が所望の温度となるように調節される。従って、対向領域３５のみならず非対向領域２９，２９及び３０，３０においても所望の温度となっているので、対向領域３５のみならず非対向領域２９，２９及び３０，３０に載置されたディッシュＤ内の検体（細胞）も適温に保たれることになる。【選択図】              図１
2004177846.tif 000002
【特許請求の範囲】
【請求項１】
発熱用透明導電膜と、前記発熱用透明導電膜に通電するための通電手段と、前記発熱用透明導電膜の発熱によって加温され検体を載せる載置プレートとを有し、前記載置プレートに検体を載せて、当該検体を所望の温度に保った状態で顕微鏡観察を行う顕微鏡観察用透明加温装置において、前記発熱用透明導電膜の発熱のみでは所望の温度を得られない前記載置プレートの低温領域を保温する保温手段と前記低温領域を加熱する加熱手段の少なくとも一方を備えたことを特徴とする顕微鏡観察用透明加温装置。
【請求項２】
請求項１に記載した顕微鏡観察用透明加温装置において、低温領域は発熱用透明導電膜に電気的に接続され互いに対向して配置された一対の電極に挟まれていない部分に対応する領域であることを特徴とする顕微鏡観察用透明加温装置。
【請求項３】
請求項１に記載した顕微鏡観察用透明加温装置において、低温領域は顕微鏡観察用透明加温装置が搭載される顕微鏡のステージに対応しない領域であることを特徴とする顕微鏡観察用透明加温装置。
【請求項４】
請求項１から３のいずれかに記載した顕微鏡観察用透明加温装置において、加熱手段は低温領域の温度が低い箇所では発熱量が多く、温度が高い箇所では発熱量が少ないことを特徴とする顕微鏡観察用透明加温装置。
【請求項５】
請求項１から４のいずれかに記載した顕微鏡観察用透明加温装置において、加熱手段は電熱体であることを特徴とする顕微鏡観察用透明加温装置。
【請求項６】
請求項１から５のいずれかに記載した顕微鏡観察用透明加温装置において、保温手段は低温領域を被覆する面積を変更できることを特徴とする顕微鏡観察用透明加温装置。
【請求項７】
発熱用透明導電膜と、前記発熱用透明導電膜に通電するための通電手段と、前記発熱用透明導電膜の発熱によって加温され検体を載せる載置プレートとを有し、前記載置プレートに検体を載せて、当該検体を所望の温度に保った状態で顕微鏡観察を行う顕微鏡観察用透明加温装置において、前記顕微鏡観察している検体以外の検体を所望温度に加温する検体補助加温部を具備したことを特徴とする顕微鏡観察用透明加温装置。
【請求項８】
請求項７に記載した顕微鏡観察用透明加温装置において、載置プレートの周囲に検体補助加温部が設けられていることを特徴とする顕微鏡観察用透明加温装置。
【請求項９】
請求項７または８において、載置プレートの温度を検知する温度検知手段と、前記温度検知手段の検知情報に基づいて前記載置プレートと検体補助加温部の両方に対する加熱温度の制御を行うことを特徴とする顕微鏡観察用透明加温装置。
【発明の詳細な説明】
【０００１】
【発明の属する技術分野】
本発明は顕微鏡観察用透明加温装置に係り、特に観察中の検体以外の検体に対しても適正な加温を行うことができる顕微鏡観察用透明加温装置に関するものである。
【０００２】
【従来の技術】
図２１、図２２に従来の顕微鏡観察用透明加温装置２０１，２０３を示す。
円板形の顕微鏡観察用透明加温装置２０１は、２枚の円板状の透明ガラス板２０５が重ね合わされてハウジング２０７に保持されており、２枚の透明ガラス板２０５のうち上側の透明ガラス板２０５が載置プレートである。一方のガラス板２０５の内側面（重なり合う側の面）には、ＩＴＯ膜等によって構成される発熱用透明導電膜が形成されている。この発熱用透明導電膜上には銅箔等によって構成される一対の電極２０９，２０９が設けられている。一対の電極２０９，２０９は帯状で真っ直ぐに延びており、互いに間隔をあけて配置されている。このように、一対の電極２０９，２０９が帯状で真っ直ぐに延びているのは、電極２０９，２０９に挟まれている領域の温度を均一にするためである。即ち、電極を例えば円弧状にすると電極間の距離が短い部分の温度が高くなり、電極間の距離が長い部分の温度が低くなって、電極に挟まれた領域の温度が不均一になるので、顕微鏡観察用透明加温装置２０１の一対の電極２０９，２０９は上記のような構成としている。
【０００３】
長方形の板状の顕微鏡観察用透明加温装置２０３は、その形状を除いて上記顕微鏡観察用透明加温装置２０１と同じ構造であり、２枚の長方形の透明なガラス板２１１を有し、このうち上側の透明ガラス板２１１が載置プレートである。２枚のガラス板２１１のうちの一方の内側面（重なり合う側の面）には、ＩＴＯ膜等によって構成される発熱用透明導電膜が形成されている。この発熱用透明導電膜上には銅箔等によって構成される一対の電極２１５，２１５が設けられており、一対の電極２１５，２１５は帯状で真っ直ぐに延びており、互いに間隔をあけて配置されている。
【０００４】
円板形の顕微鏡観察用透明加温装置２０１は、顕微鏡のステージに形成された円形の穴にはめ込んで使用する。一対の電極２０９，２０９を介して発熱用透明導電膜に通電し、これを発熱させて、載置プレートである上側の透明ガラス板２０５に載置したディッシュＤを加温する。そして、透明なガラス板２０５が露出する円形の窓２１７上にディッシュＤを載せて顕微鏡観察を行う。
【０００５】
また、長方形の板状の顕微鏡観察用透明加温装置２０３は顕微鏡のステージＳに載せて使用する。顕微鏡観察用透明加温装置２０３の幅寸法はステージＳの幅寸法より大きく設定されており、顕微鏡観察用透明加温装置２０３の両端部分はステージＳから突出するので、ステージＳに対応しない状態となる。この顕微鏡観察用透明加温装置２０３も一対の電極２１５，２１５を介して発熱用透明導電膜に通電し、これを発熱させて、載置プレートである上側の透明ガラス板２１１に載置したディッシュＤを加温する。そして、透明部となる透明ガラス板２１１の円形の窓２１９上にディッシュＤの載せて顕微鏡観察を行う。
【０００６】
上記のように観察対象となるディッシュＤ内の検体（細胞）は、ディッシュＤに検体を培養液と共に入れて、所定の温度に保たれたボックス状のインキュベーターに入れて培養される。
そして、観察を行う際にインキュベーターから一度に多数のディッシュＤを取り出して、観察対象となるディッシュＤを窓２１７，２１９に載せて観察を行い、これ以外のディッシュＤは顕微鏡観察用透明加温装置２０１，２０３の窓２１７，２１９から外れた部分に載置して加温しておくようにする。
【０００７】
【発明が解決しようとする課題】
しかしながら、顕微鏡観察用透明加温装置２０１では、電極２０９，２０９に挟まれていない非対向領域は通電されないため発熱用透明導電膜が発熱せず、電極２０９，２０９が対向する対応領域に比べて温度が低く、透明ガラス板２０５の非対向領域に対応する部分は低温領域（斜線を引いた領域）となる。従って、この低温領域にディッシュＤを載置しても加温することができない。
【０００８】
また、顕微鏡観察用透明加温装置２０３では、ステージＳに対応していない（載っていない）部分は気流が直接当たることになる。このため、透明ガラス板２０５のステージＳに対応していない部分は、ステージＳに対応する（載っている）部分に比べて温度が低い低温領域（斜線を引いた領域）となる。即ち、発熱用透明導電膜はミクロン単位の極薄いＩＴＯ膜によって構成されているので、発熱量そのものは少なく、空気流が僅かに当たっただけでも温度が下がってしまい低温領域となる。従って、顕微鏡観察用透明加温装置２０３では、透明ガラス板２０５の低温領域にディッシュＤを載置しても加温することができない。
このように、顕微鏡観察用透明加温装置２０１，２０３のいずれのタイプでも低温領域が生じているので適正加温領域が小さく、観察しているディッシュＤ以外のものを載置して、細胞が適正な温度に保たれるように加温できる範囲が限られてしまい使い勝手が悪いという問題がある。
【０００９】
本発明は、上記した従来の問題点に鑑みて為されたものであり、検体を適正に加温できる領域を広げることで、観察している検体以外の複数の検体を同時に適正な温度に加温できる顕微鏡観察用加温装置を提供することを目的とする。
【００１０】
【課題を解決するための手段】
上記課題を解決するために、請求項１の発明は、発熱用透明導電膜と、前記発熱用透明導電膜に通電するための通電手段と、前記発熱用透明導電膜の発熱によって加温され検体を載せる載置プレートとを有し、前記載置プレートに検体を載せて、当該検体を所望の温度に保った状態で顕微鏡観察を行う顕微鏡観察用透明加温装置において、前記発熱用透明導電膜の発熱のみでは所望の温度を得られない前記載置プレートの低温領域を保温する保温手段と前記低温領域を加熱する加熱手段の少なくとも一方を備えたことを特徴とする顕微鏡観察用透明加温装置である。
【００１１】
請求項２の発明は、請求項１に記載した顕微鏡観察用透明加温装置において、低温領域は発熱用透明導電膜に電気的に接続され互いに対向して配置された一対の電極に挟まれていない部分に対応する領域であることを特徴とする顕微鏡観察用透明加温装置である。
【００１２】
請求項３の発明は、請求項１に記載した顕微鏡観察用透明加温装置において、低温領域は顕微鏡観察用透明加温装置が搭載される顕微鏡のステージに対応しない領域であることを特徴とする顕微鏡観察用透明加温装置である。
【００１３】
請求項４の発明は、請求項１から３のいずれかに記載した顕微鏡観察用透明加温装置において、加熱手段は低温領域の温度が低い箇所では発熱量が多く、温度が高い箇所では発熱量が少ないことを特徴とする顕微鏡観察用透明加温装置である。
【００１４】
請求項５の発明は、請求項１から４のいずれかに記載した顕微鏡観察用透明加温装置において、加熱手段は電熱体であることを特徴とする顕微鏡観察用透明加温装置である。
【００１５】
請求項６の発明は、請求項１から５のいずれかに記載した顕微鏡観察用透明加温装置において、保温手段は低温領域を被覆する面積を変更できることを特徴とする顕微鏡観察用透明加温装置である。
【００１６】
請求項７の発明は、発熱用透明導電膜と、前記発熱用透明導電膜に通電するための通電手段と、前記発熱用透明導電膜の発熱によって加温され検体を載せる載置プレートとを有し、前記載置プレートに検体を載せて、当該検体を所望の温度に保った状態で顕微鏡観察を行う顕微鏡観察用透明加温装置において、前記顕微鏡観察している検体以外の検体を所望温度に加温する検体補助加温部を具備したことを特徴とする顕微鏡観察用透明加温装置である。
【００１７】
請求項８の発明は、  請求項７に記載した顕微鏡観察用透明加温装置において、載置プレートの周囲に検体補助加温部が設けられていることを特徴とする顕微鏡観察用透明加温装置である。
【００１８】
請求項９の発明は、請求項７または８において、載置プレートの温度を検知する温度検知手段と、前記温度検知手段の検知情報に基づいて前記載置プレートと検体補助加温部の両方に対する加熱温度の制御を行うことを特徴とする顕微鏡観察用透明加温装置である。
【００１９】
【発明の実施の形態】
以下、図１〜図３によって、第１の実施の形態に係る顕微鏡観察用透明加温装置１について説明する。
符号３はハウジングを示し、このハウジング３にはアルミ板５、両面テープ７、加熱手段としてのニクロム線９、保温手段としてのアルミ板１１、発熱透明ガラス１３、黒紙１５および載置プレートしての透明ガラス板１７が、この順で下から重ねられた状態で収容されており、これらの部材は、これらの部材とハウジング３との間に充填されたシリコーンによりハウジング３に対して固定されている。
【００２０】
上記各部材の構成について説明する。
ほぼ円板状のハウジング３は、平面視が円形の浅い凹部１９が設けられ、その中心には円形の穴２１が形成されている。アルミ板５は円板状で、その中心には円形の穴２２が形成されている。両面テープ７も薄い円板形であり、その中心には円形の穴２３が形成されている。両面テープ７は、その下面がアルミ板５の上面に貼り付けられている。
両面テープ７の上面には電熱体であるニクロム線９が貼り付けられており、このニクロム線９はアルミ板１１によって覆われている。アルミ板１１は電気的に絶縁するための処理が施されており、また円形の穴２５が形成されている。
【００２１】
発熱透明ガラス１３は、その上面全体にＩＴＯ膜によって構成される発熱用透明導電膜１４を有している（図２参照）。発熱用透明導電膜１４上には一対の電極２７，２７が設けられており、電極２７，２７は帯状で、銅箔によって構成されている。電極２７，２７は間隔をあけて、且つ互いに対向して配置されている。電極２７，２７には、図示しないリード線がそれぞれ接続され、リード線はコントローラー（図示せず）に接続されている。
【００２２】
発熱透明ガラス１３の上面は黒紙１５によって覆われ、この黒紙１５には円形の穴２８が形成されている。この黒紙１５の上には、円板状の透明ガラス板１７が重ねられている。
また、発熱透明ガラス１３の下面には温度センサー３２，３４が備えられ、これら温度センサー３２，３４は両面テープによって覆われて固定されている。温度センサー３２，３４はコントローラー（図示せず）に接続されている。
黒紙１５の円形の穴２８に対応する部分に透明部となる透明ガラス板１７の円形の窓３３が形成される。
【００２３】
ニクロム線９は蛇行するように引き回されており、図３に示すように電極２７，２７が対向しない非対向領域２９，２９及び３０，３０に対応する領域に配置されている。この非対向領域２９，２９及び３０，３０が低温領域である。ニクロム線９は面積が大きい非対向領域２９，２９に対応する領域おいて密になるように細かく蛇行し、面積の小さい非対向領域３０，３０に対応する領域おいて粗になるように大きく蛇行している。
【００２４】
顕微鏡観察用透明加温装置１の使用方法について説明する。
図２に示すように顕微鏡観察用透明加温装置１を、顕微鏡のステージＳに形成された凹部Ｓａにはめ込む。そして、コントローラーのスイッチをオンにして、リード線及び電極２７，２７を介して発熱用透明導電膜１４に通電し、発熱用透明導電膜１４を発熱させて電極２７，２７が対向する対向領域３５を加温する。この通電は温度センサー３２の検知情報に基づいて制御され、透明ガラス板１７の対向領域３５に対応する領域が所望の温度となるように調節される。
【００２５】
また、ニクロム線９に対して通電され、ニクロム線９が発熱する。この通電は温度センサー３４の検知情報に基づいて制御され、透明ガラス板１７の非対向領域２９，２９及び３０，３０に対応する領域が所望の温度となるように調節される。
ニクロム線９は非対向領域２９，２９に対応する領域おいて密に配置され、非対向領域３０，３０に対応する領域おいて粗に配置されているので、ニクロム線９の発熱量は非対向領域２９，２９に対応する領域において多く、非対向領域３０，３０に対応する領域においては少なく、それぞれの面積に応じた発熱量となる。従って、透明ガラス板１７の非対向領域２９，２９に対応する領域と非対向領域３０，３０に対応する領域の温度が均一なものとなる。
さらに、アルミ板１１が設けられているので、ニクロム線９からの発熱は、アルミ板１１を介して透明ガラス１７に伝達される。従って、透明ガラス板１７の非対向領域２９，２９及び非対向領域３０，３０に対応する領域の温度がより確実に均一なものとなる。さらにアルミ板１１は透明ガラス板１７を保温する機能も発揮する。
【００２６】
そして、観察対象となるディッシュＤを透明ガラス板１７の窓３３に載せて観察を行い、これ以外のディッシュＤは窓３３から外れた非対向領域２９，２９及び３０，３０に載置して加温しておく。この、顕微鏡観察用透明加温装置１では、上記のように透明ガラス板１７の対向領域３５に対応する領域のみならず非対向領域２９，２９及び３０，３０に対応する領域も所望の温度となっているので、いずれのディッシュＤ内の検体（細胞）も加温されて適温に保たれることになる。
即ち、この顕微鏡観察用透明加温装置１では、透明ガラス板１７の上面全体が適正加温領域となり、観察しているディッシュＤ以外の複数のディッシュＤを同時に適正な温度に加温することができる。
【００２７】
図４に第２の実施の形態に係る顕微鏡観察用透明加温装置４１を示す。
この顕微鏡観察用透明加温装置４１はハウジング４３及びアルミ板、両面テープ、保温手段としてのアルミ板、発熱透明ガラス４２、黒紙４５および載置プレートとしての透明ガラス板４７が団扇の本体に似た形状である異なる点を除き、ハウジング４３に収容される各部材およびその機能は第１の実施の形態に係る顕微鏡観察用透明加温装置１と同様なので、第１の実施の形態において用いた符号を付してそれらの各部材の説明を省略する。
この顕微鏡観察用透明加温装置４１では、顕微鏡観察用透明加温装置１と同様に透明ガラス板４７の非対向領域２９に対応する領域がニクロム線９によって加温される。
従って、透明ガラス板４７の上面全体が適正加温領域となり、観察しているディッシュＤ以外の複数のディッシュＤを同時に適正な温度に加温することができる。
【００２８】
図５〜図８によって、第３の実施の形態に係る顕微鏡観察用透明加温装置５１ついて説明する。
符号５３は長方形の枠から成るハウジングを示し、このハウジング５３の内周部には段部５５が形成されている。またハウジング５３には６つの貫通穴５７が形成され、貫通穴５７はハウジング５３の四隅と短い辺の中間に配置されている。さらに段部５５の裏面側の四隅にはネジ穴５９が形成されている（図７参照）。
【００２９】
ハウジング５３の段部５５の上面には長方形の発熱透明ガラス６１が設置され、この発熱透明ガラス６１の上には枠状の黒紙６３が載せられ、さらに黒紙６３の上には長方形の載置プレートとしての透明ガラス板６５が載せられて、これらの部材は、これらの部材とハウジング５３との間に充填されたシリコーンによりハウジング５３に対して固定されている。
発熱透明ガラス板６１は、その上面全体にＩＴＯ膜によって構成される発熱用透明導電膜６７が形成されている。発熱用透明導電膜６７上には一対の電極６９，６９が設けられており、電極６９，６９は銅箔によって構成されている。電極６９，６９は間隔をあけて、且つ互いに対向して配置されている。電極６９，６９は帯状で、発熱透明ガラス板６１の長手方向に両端部まで延びている。電極６９，６９には、図示しないリード線がそれぞれ接続され、リード線はコントローラー（図示せず）に接続されている。電極６９，６９は黒紙６３によって覆われている。
【００３０】
発熱透明ガラス板６１の下面には温度センサー７１が備えられており、温度センサー７１はコントローラー（図示せず）に接続されている。温度センサー７１は電気的絶縁性の粘着テープによって覆われて固定されている。
【００３１】
符号７５は保温手段としてのアルミ板７５を示し、このアルミ板７５は長方形で、中央に丸穴７７が形成されている。また、アルミ板７５には６つの貫通穴７９が形成され、貫通穴７９はアルミ板７５の四隅と長い辺の中間に配置されている。このアルミ板７５はハウジング５３の段部５５の下面に設置され、貫通穴７９へ挿通され、ネジ穴５９へ取り付けられる雄ネジ８１によって固定されている。アルミ板７５の丸穴７７に対応する部分に窓７８が形成される。
【００３２】
符号８３，８３は一対の脚体を示し、脚体８３，８３の上面には６つのネジ穴８５が形成されており、さらに下端面にはネジ機構によって突出長を調節できる出入部８７が備えられている。雄ネジ８９は貫通穴５７に挿通され、ネジ穴８５に取り付けられて、一対の脚体８３をハウジング５３の下面の両端部に固定している。
【００３３】
顕微鏡観察用透明加温装置５１の使用方法を説明する。
図８に示すように、顕微鏡観察用透明加温装置５１は、実体顕微鏡ＫのステージＳに載せ、脚体８３の出入部８７の突出寸法を調節して、出入部８７を顕微鏡Ｋが載るテーブルに当接させる。図６、図７に示すように観察用透明加温装置５１は、その中央部分がステージＳに載り、左右の両端部分はステージＳには載っておらず、ステージＳから突出する状態となる。従って、透明ガラス板６５の中央領域９１はステージＳに対応し、低温領域としての左側領域９３と右側領域９５はステージＳに対応しない状態となる。
【００３４】
そして、コントローラーのスイッチをオンにして、リード線及び電極６９，６９を介して発熱用透明導電膜６７に通電し、発熱用透明導電膜６７を発熱させて電極６９，６９が対向する透明ガラス板６５の中央領域９１、左側領域９３及び右側領域９５を加温する。この通電は温度センサー７１の検知情報に基づいて制御され、中央領域９１の窓７８に対応する部分が所望の温度となるように調節される。
【００３５】
この顕微鏡観察用透明加温装置５１はアルミ板７５が備えられているので、このアルミ板７５により、透明ガラス板６５の左側領域９３と右側領域９５が保温される。即ち、アルミ板７５により空気流が発熱透明ガラス板６７に直接当たるのを防止でき、しかもアルミ板７５に発熱用透明導電膜６７から発生する熱が蓄えられる。従って、透明ガラス板６５の左側領域９３と右側領域９５の温度が低くなるのを防止でき、中央部分９１とほぼ同じ温度を保つことができる。
【００３６】
そして、観察対象となるディッシュＤを窓７８に載せて観察を行い、これ以外のディッシュＤは中央領域９１の他、左側領域９３及び右側領域９５に載置して加温しておくようにする。この、顕微鏡観察用透明加温装置１では、上記のように透明ガラス板６５の中央領域９１のみならず左側領域９３および右側領域９５も所望の温度となっているので、いずれのディッシュＤ内の細胞も加温されて適温に保たれることになる。
即ち、この顕微鏡観察用透明加温装置５１では、透明ガラス板６５の上面全体が適正加温領域となり、観察しているディッシュＤ以外の複数のディッシュＤを同時に適正な温度に加温することができる。
【００３７】
次に、図９から図１２によって、第４の実施の形態に係る顕微鏡観察用透明加温装置１０１を説明する。
顕微鏡観察用透明加温装置１０１は上記第３の実施の形態に係る顕微鏡観察用透明加温装置５１と同じ構成部材を有するので、第３の実施の形態において用いた符号を付してそれらの各部材の説明を省略し、第３の実施の形態と異なる点についてのみ説明する。
ハウジング１０３の段部５５の下側には溝１０５が形成されており、この溝１０５には、保温手段としての４枚のアルミ板１０７，１０９，１１１，１１３がハウジング１０３の長手方向へスライド自在に収容されている。
【００３８】
この顕微鏡観察用透明加温装置１０１の使用方法について説明する。
顕微鏡観察用透明加温装置１０１は、幅寸法の異なる顕微鏡のステージに対応することができるものである。
図１１に顕微鏡観察用透明加温装置１０１の幅寸法が大きいステージＳ１載置した状態を示す。
同図に示すようにアルミ板１０７，１０９を左側に寄せ、アルミ板１１１，１１３を右側に寄せた状態で、顕微鏡観察用透明加温装置１０１を幅寸法の大きいステージＳ１に載せる。そして、アルミ板１０７を、その右端面がステージＳ１の左側面に当接するまでスライドさせ、またアルミ板１１１を、その左端面がステージＳ１の右側面に当接するまでスライドさせる。
【００３９】
また、図１２に示すように、顕微鏡観察用透明加温装置１０１を幅寸法の小さい顕微鏡のステージＳ２に載置して使用する場合も、上記と同様にアルミ板１０７を、その右端面がステージＳ１の左側面に当接するまでスライドさせ、またアルミ板１１１を、その左端面がステージＳ１の右側面に当接するまでスライドさせるが、このスライド距離が長くなる。
このように、顕微鏡観察用透明加温装置１０１はステージの幅寸法に応じて、アルミ板１０７，１１１のスライド距離を変えるだけで、幅寸法の異なる顕微鏡のステージに対応することができる。即ち、ステージの幅寸法に応じて左側領域９３及び右側領域９５の幅寸法（面積）が変化しても、この変化に対応して発熱透明ガラス板６１を覆う面積を変更することができる。
【００４０】
図１３〜図１５によって、第５の実施の形態に係る顕微鏡観察用透明加温装置１２１について説明する。
顕微鏡観察用透明加温装置１２１は上記第３の実施の形態に係る顕微鏡観察用透明加温装置５１と同じ構成部材を有するので、第３の実施の形態において用いた符号を付し或いは引用して、それらの各部材の説明を省略し、第３の実施の形態と異なる点についてのみ説明する。
【００４１】
ハウジング５３の段部５５の下面には、保温手段としての長方形のアルミ板１２３，１２３が取り付けられている。このアルミ板１２３の上面には加熱手段としてのニクロム線１２５が貼り付けられており、このニクロム線１２５は蛇行して配置されている。このニクロム線１２５の表面は電気的な絶縁処理が施されている。
符号１２６は温度センサーを示し、この温度センサー１２６は透明ガラス板６５の裏面に備えられ、図示しない両面テープによって覆われて貼り付けられている。温度センサー１２６は後述する右側領域９５に対応する領域に配置されている。
この顕微鏡観察用透明加温装置１２１では、ニクロム線１２５に通電されて、低温領域としての左側領域９３と右側領域９５が加温される。この通電は温度センサー１２６の検知情報に基づいて制御され、左側領域９３と右側領域９５が所望の温度となるように調節される。
【００４２】
図１６と図１７によって、第６の実施の形態に係る顕微鏡観察用透明加温装置を説明する。
第６の実施の形態に係る顕微鏡観察用透明加温装置は、第５の実施の形態に係る顕微鏡観察用透明加温装置１２１と基本的に同様な構造を有しているので、第５の実施の形態において用いた符号を付し或いは引用して説明する。
ニクロム線１２５が貼り付けられたアルミ板１２３の上面には、絶縁処理が施されたアルミ板１２７が重ねられており、これらアルミ板１２３とアルミ板１２７はニクロム線１２５を挟み込んだ状態で貼り合わされている。これら貼り合わされたアルミ板１２５，１２７は、第５の実施の形態におけるアルミ板１２３，１２３と同じ位置であるハウジング５３の段部５５の下面に固定されている。本実施の形態ではアルミ板１２３とアルミ板１２７とによって保温手段が構成されている。
第６の実施の形態に係る顕微鏡観察用透明加温装置では、ニクロム線１２５から生じた熱はアルミ板１２７を介して左側領域９３と右側領域９５に伝わる。従って、左側領域９３と右側領域９５に全体が均一に加温され、温度分布にむらが生じるのを防止することができる。
【００４３】
図１８〜図２０によって、第７の実施の形態に係る顕微鏡観察用透明加温装置１３１を説明する。
符号１３３はハウジングを示し、このハウジング１３３には長方形の凹部１３５が形成され、さらに凹部１３３の中央部は長方形の穴１３７が形成されている。符号１３９は電気的絶縁加工が施されたアルミ板を示し、このアルミ板１３９には長方形の穴１４０が形成されている。アルミ板１３９上にはニクロム線１４１が固定されて配置されている。このニクロム線１４１は、途中部分でほぼ直角に折り返されており、アルミ板１３９の全体をカバーするように引き回されている。ニクロム線１４１には図示しないリード線が接続され、このリード線は電線１４２にまとめられて、ハウジング１３３外へ引き出されコントローラー１４４に接続されている（図１９参照）。
アルミ板１３９の上面には、アルミ板１４３が重ね合わされて固定されている。アルミ板１４３は、アルミ板１３９と同様に電気的絶縁処理が施され、しかも同形状で長方形の穴１４５が形成されている。
これらアルミ板１３９、ニクロム線１４１及びアルミ板１４３によって検体補助加温部が構成されている。
【００４４】
符号１４６は長方形の透明ガラス板を示し、この透明ガラス板１４６の上面にはＩＴＯ膜によって構成される発熱用透明導電膜１４９が形成されている。発熱用透明導電膜１４９上には一対の銅箔等によって構成される電極１５１，１５１が透明ガラス板１４７の長手方向の両端部に設けられており、この電極１５１，１５１は、互いに対向し、且つ間隔をあけて配置されている。電極１５１，１５１には図示しないリード線がそれぞれ接続され、このリード線は電線１４２にまとめられて、ハウジング１３３外へ引き出されコントローラー１４４に接続されている（図１９参照）。透明ガラス板１４６の上面には、載置プレートとして長方形の透明ガラス板１４７が貼り合わされている。
【００４５】
透明ガラス板１４６の下面には温度検知手段としての温度センサー１５５が貼り付けられている。この温度センサー１５５には図示しないリード線が接続され、このリード線も電線１４２にまとめられてコントローラー１４４に接続されている。コントローラー１４４は電源１５７に接続されている。
【００４６】
この顕微鏡観察用透明加温装置１３１では、温度センサー１５５が透明ガラス板１４６の温度を検知し、この検知情報に基づいてコントローラー１４４が発熱用透明導電膜１４９及びニクロム線１４１に対する通電を制御する。これにより透明ガラス板１４６及びアルミ板１４３が所望の温度に保たれる。
なお、上記ニクロム線１４１に対する通電は予め計測したニクロム線１４１の抵抗値に基づいて行う。即ち、温度センサー１５５が検知した情報に基づいてニクロム線１４１が所定の温度になると推測される抵抗値の電圧を印加して、アルミ板１４３の上面が所望の温度となるようにする。
【００４７】
また、顕微鏡観察用透明加温装置１３１では、１つの温度センサーによって発熱用透明導電膜１４９及びニクロム線１４１に対する通電を制御して、載置プレート及び検体補助加温部を所望の温度に保つことができる。
このように顕微鏡観察用透明加温装置１３１では、検体補助加温部を備えたので、適正加温領域は広くなり、観察しているディッシュＤ以外の複数のディッシュＤを同時に適正な温度に加温することができる。
【００４８】
なお、顕微鏡観察用透明加温装置１３１では、温度センサー１５５を透明ガラス板１４６の下面に１つだけ備えた構成としているが、温度センサーを透明ガラス板１４６（載置プレート側）と検体補助加温部の両方に備えて、それぞれの温度センサーが検知した情報に基づいて、発熱用透明導電膜及びニクロム線に対する通電を制御する構成とすることも可能である。
【００４９】
以上、本発明の実施の形態について詳述してきたが、具体的な構成はこの実施の形態に限られるものではなく、本発明の要旨を逸脱しない範囲における設計の変更などがあっても本発明に含まれる。
上記実施の形態では、載置プレートである透明ガラス板と発熱用透明導電膜が形成された発熱透明ガラス板とを別々に具備する構成としているが、本発明はこれに限定されず、載置プレートである透明ガラス板に発熱用透明導電膜を形成する構成とすることも可能である。
ニクロム線は製造元で予め透明プレート部内に固定しておくのでユーザー側で巻数を調整することはできないが、発熱量調整用の外付けボリュームを付けてもよい。このようにすれば、ユーザー側で、使用する顕微鏡の種類等の個別事情を考慮して温度を更に微調整することができる。
【００５０】
透明ガラス板の代わりに、例えば、アクリル、ポリカーボネート、スチレン等のプラスチックで構成してもよい。発熱用透明導電膜は、通電されると抵抗発熱するもので構成すれば足り、ＩＴＯ膜に限らず、例えば、酸化スズ、酸化インジウム、スズ、アンチモンをドープした酸化スズ等で構成してもよい。
【００５１】
上記第１の実施の形態に係る顕微鏡観察用透明加温装置１及び第２の実施の形態に係る顕微鏡観察用透明加温装置４１は、２つの温度センサー３２，３４を備えており、温度センサー３２の検知情報に基づいて発熱用透明導電膜１４に対する通電を制御し、温度センサー３４の検知情報に基づいてニクロム線９に対する通電を制御しているが、温度センサー３２を１つだけ設けて、この温度センサー３２の検知情報に基づいて発熱用導電膜１４とニクロム線９の両方に対する通電を制御する構成としてもよい。
この場合には、ニクロム線９に対する通電は予め計測したニクロム線９の抵抗値に基づいて行う。即ち、温度センサー３２が検知した情報に基づいてニクロム線９が所定の温度になると推測される値の電圧を印加して、透明ガラス板１７（第２の実施の形態の場合は透明ガラス板４７）の非対向領域２９，３０（第２の実施の形態の場合は非対向領域２９）に対応する領域の上面が所望の温度となるようにする。
【００５２】
また第５の実施の形態に係る顕微鏡観察用透明加温装置１２１、第６の実施の形態に係る顕微鏡観察用透明加温装置も、２つの温度センサー７１，１２６を備えており、温度センサー７１の検知情報に基づいて発熱用透明導電膜６７に対する通電を制御し、温度センサー１２６の検知情報に基づいてニクロム線１２５に対する通電を制御しているが、温度センサー７１を１つだけ設けて、この温度センサー７１の検知情報に基づいて発熱用導電膜６７とニクロム線１２５の両方に対する通電を制御する構成としてもよい。
この場合には、ニクロム線１２５に対する通電は予め計測したニクロム線１２５の抵抗値に基づいて行う。即ち、温度センサー７１が検知した情報に基づいてニクロム線１２５が所定の温度になると推測される値の電圧を印加して、透明ガラス板６５の左側領域９３と右側領域９５が所望の温度となるようにする。
【００５３】
即ち、第１の実施の形態に係る顕微鏡観察用透明加温装置１、第２の実施の形態に係る顕微鏡観察用透明加温装置４１、第５の実施の形態に係る顕微鏡観察用透明加温装置１２１、第６の実施の形態に係る顕微鏡観察用透明加温装置について、第７の実施の形態に係る顕微鏡観察用透明加温装置１３１と同様の温度制御を行う構成としてもよい。
【００５４】
【発明の効果】
本発明の顕微鏡観察用透明加温装置によれば、透明ガラス板の適正加温領域を広げることで、観察している検体以外の複数の検体を同時に適正な温度に加温できる。従って、透明プレート部上に観察前や後の検体を置きながら、検体を観察できるので、多数の検体を観察する場合に作業効率が非常に良くなる。
【図面の簡単な説明】
【図１】第１の実施の形態に係る顕微鏡観察用透明加温装置の分解斜視図である。
【図２】図３のＡ−Ａ断面図である。
【図３】第１の実施の形態に係る顕微鏡観察用透明加温装置の平面図である。
【図４】第２の実施の形態に係る顕微鏡観察用透明加温装置の平面図である。
【図５】第３の実施の形態に係る顕微鏡観察用透明加温装置の分解斜視図である。
【図６】第３の実施の形態に係る顕微鏡観察用透明加温装置の平面図である
【図７】図６のＡ−Ａ断面図である。
【図８】第３の実施の形態に係る顕微鏡観察用透明加温装置の使用状態を説明するための斜視図ある。
【図９】第４の実施の形態に係る顕微鏡観察用透明加温装置の一部破断斜視図である。
【図１０】第４の実施の形態に係る顕微鏡観察用透明加温装置の部分断面図である。
【図１１】第４の実施の形態に係る顕微鏡観察用透明加温装置の使用方法を説明するための平面図である。
【図１２】第４の実施の形態に係る顕微鏡観察用透明加温装置の使用方法を説明するための平面図である。
【図１３】第５の実施の形態に係る顕微鏡観察用透明加温装置に備えられるニクロム線を備えたアルミ板の斜視図である。
【図１４】図１３のＡ−Ａ断面図である。
【図１５】第５の実施の形態に係る顕微鏡観察用透明加温装置の使用方法を説明するための平面図である。
【図１６】第６の実施の形態に係る顕微鏡観察用透明加温装置に備えられるニクロム線を備えたアルミ板及びニクロム線を備えたアルミ板を覆うアルミ板の斜視図である。
【図１７】図１６のＡ−Ａ断面図である。
【図１８】第７の実施の形態に係る顕微鏡観察用透明加温装置の使用方法を説明するための平面図である。
【図１９】図１８のＡ−Ａ断面図である。
【図２０】第７の実施の形態に係る顕微鏡観察用透明加温装置の分解斜視図である。
【図２１】従来例に係る顕微鏡観察用透明加温装置の平面図である。
【図２２】従来例に係る顕微鏡観察用透明加温装置の平面図である。
【符号の説明】
Ｄ  デッシュ          Ｓ  顕微鏡のステージ
１  顕微鏡観察用透明加温装置          ３  ハウジング
５  アルミ板          ７  両面テープ
９  ニクロム線          １１  アルミ板
１３  発熱透明ガラス          １４  発熱用透明導電膜
１５  黒紙          １７  透明ガラス板
１９  凹部          ２２  穴
２３  穴          ２５  穴
２７  電極          ２８  穴
２９  非対向領域          ３０  非対向領域
３３  窓            ３５  対向領域
３２  温度センサー          ３４  温度センサー
４１  顕微鏡観察用透明加温装置            ４２  発熱透明ガラス
４３  ハウジング
４５  黒紙            ４７  透明ガラス板
５１  顕微鏡観察用透明加温装置            ５３  ハウジング
５５  段部              ５７  貫通穴
５９  ネジ穴
６１  発熱透明ガラス板            ６３  黒紙
６５  透明ガラス板              ６７  発熱用透明導電膜
６９  電極              ７１  温度センサー
７５  アルミ板          ７７  丸穴
７９  貫通穴          ８１  雄ネジ
８３  脚体          ８５  ネジ穴
８７  出入部          ８９  雄ネジ
９１  透明ガラス板の中央領域          ９３  透明ガラス板の左側領域
９５  透明ガラス板の右側領域          １０１  顕微鏡観察用透明加温装置
１０３  ハウジング          １０５  溝
１０７、１０９、１１１、１１３  アルミ板
１２１  顕微鏡観察用透明加温装置          １２３  アルミ板
１２５  ニクロム線          １２６  温度センサー        １２７  アルミ板
１３１  顕微鏡観察用透明加温装置          １３３  ハウジング
１３５  凹部          １３７  穴
１３９  アルミ板          １４０  長方形の穴
１４１  ニクロム線          １４２  電線
１４３  アルミ板          １４４  コントローラー
１４５  長方形の穴          １４７  透明ガラス板
１４９  発熱用透明導電膜          １５１，１５１  電極
１５５  温度センサー          １５７  電源
【図１】
2004177846.tif 000003
【図２】
2004177846.tif 000004
【図３】
2004177846.tif 000005
【図４】
2004177846.tif 000006
【図５】
2004177846.tif 000007
【図６】
2004177846.tif 000008
【図７】
2004177846.tif 000009
【図８】
2004177846.tif 000010
【図９】
2004177846.tif 000011
【図１０】
2004177846.tif 000012
【図１１】
2004177846.tif 000013
【図１２】
2004177846.tif 000014
【図１３】
2004177846.tif 000015
【図１４】
2004177846.tif 000016
【図１５】
2004177846.tif 000017
【図１６】
2004177846.tif 000018
【図１７】
2004177846.tif 000019
【図１８】
2004177846.tif 000020
【図１９】
2004177846.tif 000021
【図２０】
2004177846.tif 000022
【図２１】
2004177846.tif 000023
【図２２】
2004177846.tif 000024